(57)【要約】【課題】よりコンパクトな状態にすることができ、更に、被験者の寝心地が悪化するのを防止できる生体情報計測用パネルを提供する。【解決手段】生体情報計測用パネル１Ａは、被験者Ｈの下側に被験者の幅方向に延びる態様にして配置されるシリコーンゴム製敷き板２と、被験者Ｈの生体活動に伴い発生する敷き板２の歪みを検出する圧電フィルムセンサ９と、を備える。圧電フィルムセンサ９は敷き板の幅方向の一部に設けられている。圧電フィルムセンサ９の出力は被験者Ｈの生体情報の計測に用いられる。【選択図】図１
2014124310.tif 000002
【特許請求の範囲】
【請求項１】
被験者の下側に被験者の幅方向に延びる態様にして配置されるシリコーンゴム製敷き板と、
被験者の生体活動に伴い発生する前記敷き板の歪みを検出する圧電フィルムセンサと、を備えるとともに、
前記圧電フィルムセンサは、前記敷き板の幅方向の一部に設けられており、
前記圧電フィルムセンサの出力は、被験者の生体情報の計測に用いられるものであることを特徴とする生体情報計測用パネル。
【請求項２】
前記圧電フィルムセンサは、前記圧電フィルムセンサの上下両面のうち少なくとも一方が前記敷き板に密着した状態にして前記敷き板の幅方向の一部に設けられている請求項１記載の生体情報計測パネル。
【請求項３】
前記圧電フィルムセンサは、前記敷き板の幅方向の一端部に設けられている請求項１又は２記載の生体情報計測用パネル。
【請求項４】
前記圧電フィルムセンサの少なくとも一部は、前記敷き板の内部に設けられている請求項１〜３のいずれかに記載の生体情報計測用パネル。
【請求項５】
前記敷き板は、上板部と下板部に分割されるとともに、
前記上板部と前記下板部が、前記上板部と前記下板部との間に前記圧電フィルムセンサの少なくとも一部を挟んだ状態にして互いに接合されている請求項４記載の生体情報計測用パネル。
【請求項６】
前記上板部及び前記下板部のうち少なくとも一方は、前記敷き板の幅方向に複数個の分割片に分割されるとともに、前記敷き板の幅方向に互いに隣接する分割片同士が接合されている請求項５記載の生体情報計測用パネル。
【請求項７】
前記上板部及び前記下板部は、それぞれ、前記敷き板の幅方向に複数個の分割片に分割されるとともに、前記敷き板の幅方向に互いに隣接する分割片同士が接合されており、
前記上板部の分割位置と前記下板部の分割位置とが、前記敷き板の幅方向にずれている請求項５記載の生体情報計測用パネル。
【請求項８】
前記敷き板の幅方向の一端部の上部又は下部に、前記シリコーンゴムとは異なる材料製の第１固定板が固着されており、
前記圧電フィルムセンサの少なくとも一部は、前記敷き板の幅方向の一端部と前記第１固定板との間に挟まれた状態にして前記第１固定板に固定されている請求項１〜７のいずれかに記載の生体情報計測用パネル。
【請求項９】
前記圧電フィルムセンサの出力を制御する制御器が、前記敷き板の幅方向の一端部と前記第１固定板との間に挟まれた状態にして前記第１固定板に固定されている請求項８記載の生体情報計測用パネル。
【請求項１０】
前記敷き板の幅方向の一端部の上部又は下部に、前記シリコーンゴムとは異なる材料製の第２固定板が固着されており、
前記圧電フィルムセンサの出力を制御する制御器が、前記敷き板の幅方向の一端部と前記第２固定板との間に挟まれた状態にして前記第２固定板に固定されている請求項１〜８のいずれかに記載の生体情報計測用パネル。
【請求項１１】
前記敷き板の上面及び下面のうち少なくとも一方に、前記敷き板の長さ方向に延びた半切り目部が形成されている請求項１〜１０のいずれかに記載の生体情報計測用パネル。
【請求項１２】
前記敷き板の上面及び下面に、それぞれ、前記敷き板の長さ方向に延びた半切り目部が形成されており、
前記敷き板の上面における半切り目部の形成位置と前記敷き板の下面における半切り目部の形成位置とが、前記敷き板の幅方向にずれている請求項１〜１０のいずれかに記載の生体情報計測用パネル。
【請求項１３】
請求項１〜１２のいずれかに記載の生体情報計測用パネルと、
前記パネルの圧電フィルムセンサの出力に基づいて被験者の生体情報を演算する演算器と、を具備することを特徴とする生体情報計測装置。
【請求項１４】
請求項１〜１２のいずれかに記載の生体情報計測用パネルを用いて被験者の生体情報を計測することを特徴とする生体情報計測方法。
【発明の詳細な説明】
【技術分野】
【０００１】
本発明は、被験者の生体情報を計測するのに用いられる生体情報計測用パネル、パネルを備えた生体情報計測装置、及び、パネルを用いた生体情報計測方法に関する。
【背景技術】
【０００２】
医療施設（例：病院）、老人施設、一般家庭などでは、病人、老人、健康人、乳幼児等の被験者の健康状態を把握するために、就寝中の被験者の心拍情報、呼吸情報、いびき情報、体動情報（寝返り情報を含む）などの生体情報を計測することが行われている。
【０００３】
その計測に用いられるパネルは、一般的に、寝床部上における被験者の下側に被験者の幅方向（即ち左右方向）に延びる態様にして配置される帯状の敷き板を備えている（特許文献１〜１０参照）。そして、このパネルは、被験者の生体活動に伴い発生する敷き板の歪みが敷き板に設けられた歪み検出センサにより検出されるように構成されている。歪み検出センサの出力は、被験者の生体情報の計測に用いられる。
【先行技術文献】
【特許文献】
【０００４】
【特許文献１】特開２００９−１１２６４６号公報
【特許文献２】特開２００８−２２９３６１号公報
【特許文献３】特開２００８−２２９３５９号公報
【特許文献４】特開２００８−１７８７３８号公報
【特許文献５】特開２００８−１７８７３４号公報
【特許文献６】特開２００８−９９９５７号公報
【特許文献７】特開２００８−９９７４７号公報
【特許文献８】特開２００８−６７９７９号公報
【特許文献９】特開２００６−４３４４５号公報
【特許文献１０】特開２００５−２５３９５７号公報
【特許文献１１】特開２０１２−２０５８０３号公報
【発明の概要】
【発明が解決しようとする課題】
【０００５】
従来のパネルでは、敷き板は、主に金属板（例：アルミニウム板）で形成されていた。そのため、パネルを収納する際に敷き板をコンパクトな状態にすることができず、大きな収納スペースが必要となるという難点があった。さらに、パネルを持ち運んだり搬送したりする際にもパネルが嵩張るという難点があった。ここで、特開２０１２−２０５８０３号公報に開示されたパネル（生体情報計測センサ）は、折り畳むことができるように構成されているが、よりコンパクトな状態にするため更なる改良が必要であった。
【０００６】
さらに、従来のパネルでは、敷き板は、上述したように金属板で形成されていたので、被験者の下側に敷き板が配置された際に被験者に対しゴツゴツ感等の違和感を与え、その結果、被験者の寝心地が悪化する虞があった。
【０００７】
本発明は、上述した技術背景に鑑みてなされたもので、その目的は、よりコンパクトな状態にすることができ、更に、被験者の寝心地が悪化するのを防止できる生体情報計測用パネル、パネルを具備する生体情報計測装置、及び、パネルを用いた生体情報計測方法を提供することにある。
【課題を解決するための手段】
【０００８】
本発明は以下の手段を提供する。
【０００９】
［１］  被験者の下側に被験者の幅方向に延びる態様にして配置されるシリコーンゴム製敷き板と、
被験者の生体活動に伴い発生する前記敷き板の歪みを検出する圧電フィルムセンサと、を備えるとともに、
前記圧電フィルムセンサは、前記敷き板の幅方向の一部に設けられており、
前記圧電フィルムセンサの出力は、被験者の生体情報の計測に用いられるものであることを特徴とする生体情報計測用パネル。
【００１０】
［２］  前記圧電フィルムセンサは、前記圧電フィルムセンサの上下両面のうち少なくとも一方が前記敷き板に密着した状態にして前記敷き板の幅方向の一部に設けられている前項１記載の生体情報計測パネル。
【００１１】
［３］  前記圧電フィルムセンサは、前記敷き板の幅方向の一端部に設けられている前項１又は２記載の生体情報計測用パネル。
【００１２】
［４］  前記圧電フィルムセンサの少なくとも一部は、前記敷き板の内部に設けられている前項１〜３のいずれかに記載の生体情報計測用パネル。
【００１３】
［５］  前記敷き板は、上板部と下板部に分割されるとともに、
前記上板部と前記下板部が、前記上板部と前記下板部との間に前記圧電フィルムセンサの少なくとも一部を挟んだ状態にして互いに接合されている前項４記載の生体情報計測用パネル。
【００１４】
［６］  前記上板部及び前記下板部のうち少なくとも一方は、前記敷き板の幅方向に複数個の分割片に分割されるとともに、前記敷き板の幅方向に互いに隣接する分割片同士が接合されている前項５記載の生体情報計測用パネル。
【００１５】
［７］  前記上板部及び前記下板部は、それぞれ、前記敷き板の幅方向に複数個の分割片に分割されるとともに、前記敷き板の幅方向に互いに隣接する分割片同士が接合されており、
前記上板部の分割位置と前記下板部の分割位置とが、前記敷き板の幅方向にずれている前項５記載の生体情報計測用パネル。
【００１６】
［８］  前記敷き板の幅方向の一端部の上部又は下部に、前記シリコーンゴムとは異なる材料製の第１固定板が固着されており、
前記圧電フィルムセンサの少なくとも一部は、前記敷き板の幅方向の一端部と前記第１固定板との間に挟まれた状態にして前記第１固定板に固定されている前項１〜７のいずれかに記載の生体情報計測用パネル。
【００１７】
［９］  前記圧電フィルムセンサの出力を制御する制御器が、前記敷き板の幅方向の一端部と前記第１固定板との間に挟まれた状態にして前記第１固定板に固定されている前項８記載の生体情報計測用パネル。
【００１８】
［１０］  前記敷き板の幅方向の一端部の上部又は下部に、前記シリコーンゴムとは異なる材料製の第２固定板が固着されており、
前記圧電フィルムセンサの出力を制御する制御器が、前記敷き板の幅方向の一端部と前記第２固定板との間に挟まれた状態にして前記第２固定板に固定されている前項１〜８のいずれかに記載の生体情報計測用パネル。
【００１９】
［１１］  前記敷き板の上面及び下面のうち少なくとも一方に、前記敷き板の長さ方向に延びた半切り目部が形成されている前項１〜１０のいずれかに記載の生体情報計測用パネル。
【００２０】
［１２］  前記敷き板の上面及び下面に、それぞれ、前記敷き板の長さ方向に延びた半切り目部が形成されており、
前記敷き板の上面における半切り目部の形成位置と前記敷き板の下面における半切り目部の形成位置とが、前記敷き板の幅方向にずれている前項１〜１０のいずれかに記載の生体情報計測用パネル。
【００２１】
［１３］  前項１〜１２のいずれかに記載の生体情報計測用パネルと、
前記パネルの圧電フィルムセンサの出力に基づいて被験者の生体情報を演算する演算器と、を具備することを特徴とする生体情報計測装置。
【００２２】
［１４］  前項１〜１２のいずれかに記載の生体情報計測用パネルを用いて被験者の生体情報を計測することを特徴とする生体情報計測方法。
【発明の効果】
【００２３】
前項［１］の生体情報計測用パネルによれば次のような効果を奏する。
【００２４】
敷き板は、シリコーンゴム製であることにより柔軟性を有している。したがって、敷き板が被験者の下側に配置されても、被験者の寝心地が悪化するのを防止することができる。さらに、圧電フィルムセンサも一般的に柔軟性を有しているので、圧電フィルムセンサの存在による被験者の寝心地が悪化する不具合についても殆ど発生しない。しかも、パネルを収納したり持ち運んだり搬送したりする際などには敷き板を丸く巻き畳むことができる。これにより、パネルを従来（例：特開２０１２−２０５８０３号公報）のものよりもコンパクトな状態にして収納したり持ち運んだり搬送したりすることができる。
【００２５】
さらに、圧電フィルムセンサは、敷き板の幅方向の全域ではなく幅方向の一部に設けられているので、敷き板の幅方向の全域に圧電フィルムセンサが設けられる場合よりも、圧電フィルムセンサの幅を短くすることができる。これにより、圧電フィルムセンサを安価に入手することができ、その結果、パネルの製造コストを引き下げることができる。しかも、このように、圧電フィルムセンサが敷き板の幅方向の一部に設けられた場合であっても、敷き板がシリコーンゴム製であることにより、被験者の生体活動に伴い発生する敷き板の歪み（その変動を含む）が圧電フィルムセンサに伝わるようになり、そのため、敷き板の歪みを圧電フィルムセンサによって検出することができる。
【００２６】
前項［２］のパネルによれば、圧電フィルムセンサの上下両面のうち少なくとも一方が敷き板に密着した状態であることにより、被験者の生体活動に伴い発生する敷き板の歪みを圧電フィルムセンサによって確実に検出することができる。これにより、圧電フィルムセンサによる敷き板の歪みの検出精度を向上させることができる。
【００２７】
前項［３］のパネルによれば、圧電フィルムセンサが敷き板の幅方向の一端部に設けられることにより、圧電フィルムセンサの出力信号線を容易に敷き板の幅方向の一端部の端面から外側へ導出することができる。これにより、出力信号線をできる限り短くすることができるし、パネルを容易に製造することができる。
【００２８】
さらに、このパネルでは、被験者は一般的に、敷き板の幅方向の中間部上に載り、敷き板の幅方向の一端部及び他端部上には載らない。そのため、圧電フィルムセンサの存在による被験者の寝心地が悪化する不具合を確実に防止できる。
【００２９】
前記［４］のパネルによれば、圧電フィルムセンサの少なくとも一部が敷き板の内部に設けられることにより、圧電フィルムセンサの当該少なくとも一部を敷き板で保護することができる。これにより、被験者の汗や尿等による圧電フィルムセンサの損傷を防止し得て、パネルの耐用寿命を長くすることができる。
【００３０】
前記［５］のパネルによれば、敷き板の上板部と下板部が、上板部と下板部との間に圧電フィルムセンサの少なくとも一部を挟んだ状態にして互いに接合されていることにより、圧電フィルムセンサの少なくとも一部を敷き板の内部に容易に配置させることができる。
【００３１】
前項［６］のパネルによれば、敷き板の上板部及び下板部のうち少なくとも一方が、敷き板の幅方向に複数個の分割片に分割されていることにより、敷き板の上板部及び下板部のうち少なくとも一方が分割されていない場合に比べて、敷き板を安価に製造することができ、その結果、パネルの製造コストを引き下げることができる。
【００３２】
前項［７］のパネルによれば、前項［６］と同じ効果を奏する。さらに、上板部の分割位置と下板部の分割位置とが敷き板の幅方向にずれているので、上板部の分割位置と下板部の分割位置とが敷き板の幅方向に一致している場合に比べて、敷き板の強度を向上させることができるし、被験者の寝心地を良好な状態に維持することができる。
【００３３】
前項［８］のパネルによれば、圧電フィルムセンサの少なくとも一部が第１固定板に固定されることにより、圧電フィルムセンサを敷き板に対して確実に固定状態に設けることができる。
【００３４】
さらに、圧電フィルムセンサの少なくとも一部が敷き板の幅方向の一端部と第１固定板との間に挟まれた状態であることにより、圧電フィルムセンサの少なくとも一部を敷き板の幅方向の一端部と第１固定板とで保護することができる。これにより、被験者の汗や尿等による圧電フィルムセンサの損傷を防止し得て、パネルの耐用寿命を長くすることができる。
【００３５】
しかも、敷き板における第１固定板の固着位置が敷き板の幅方向の一端部であるから、敷き板が第１固定板を有するものであっても、敷き板をその幅方向の他端部から丸く巻き畳むことができてコンパクトな状態にすることができる。
【００３６】
前項［９］のパネルによれば、制御器が第１固定板に固定されることにより、制御器を敷き板に対して確実に固定状態に設けることができる。
【００３７】
さらに、制御器が敷き板の幅方向の一端部と第１固定板との間に挟まれた状態であることにより、制御器を敷き板の幅方向の一端部と第１固定板とで保護することができる。これにより、被験者の汗や尿等による制御器の損傷を防止し得て、パネルの耐用寿命を長くすることができる。
【００３８】
前項［１０］のパネルによれば、制御器が第２固定板に固定されることにより、制御器を敷き板に対して確実に固定状態に設けることができる。
【００３９】
さらに、制御器が敷き板の幅方向の一端部と第２固定板との間に挟まれた状態であることにより、制御器を敷き板の幅方向の一端部と第２固定板とで保護することができる。これにより、被験者の汗や尿等による制御器の損傷を防止し得て、パネルの耐用寿命を長くすることができる。
【００４０】
しかも、敷き板における第２固定板の固着位置が敷き板の幅方向の一端部であるから、敷き板が第２固定板を有するものであっても、敷き板をその幅方向の他端部から丸く巻き畳むことができてコンパクトな状態にすることができる。
【００４１】
前項［１１］のパネルによれば、敷き板の上面及び下面のうち少なくとも一方に、敷き板の長さ方向に延びた半切り目部が形成されていることにより、敷き板を容易に丸く巻き畳むことができる。
【００４２】
前項［１２］のパネルによれば、前項［１１］と同じ効果を奏する。さらに、敷き板の上面における半切り目部の形成位置と敷き板の下面における半切り目部の形成位置とが、敷き板の幅方向にずれているので、双方の形成位置が敷き板の幅方向に一致している場合に比べて、敷き板の強度を向上させることができる。
【００４３】
前項［１３］の生体情報計測装置によれば、前項［１］〜［１２］のいずれかの効果と同様の効果を奏する。
【００４４】
前項［１４］の生体情報計測方法によれば、前項［１］〜［１２］のいずれかの効果と同様の効果を奏する。
【図面の簡単な説明】
【００４５】
【図１】図１は、本発明の第１実施形態に係る生体情報計測用パネルを具備した生体情報計測装置を用いて被験者の生体情報を計測する状態を示す概略平面図である。
【図２】図２は、同パネルの概略斜視図である。
【図３】図３は、同パネルの分解斜視図である。
【図４】図４は、同パネルを収納するときの状態を示す同パネルの正面図である。
【図５】図５は、本発明の第２実施形態に係る生体情報計測用パネルの概略斜視図である。
【図６】図６は、同パネルの分解斜視図である。
【図７】図７は、本発明の第３実施形態に係る生体情報計測用パネルの概略斜視図である。
【図８】図８は、同パネルの分解斜視図である。
【図９】図９は、本発明の第４実施形態に係る生体情報計測用パネルの概略斜視図である。
【図１０】図１０は、同パネルの分解斜視図である。
【図１１】図１１は、本発明の第５実施形態に係る生体情報計測用パネルの概略斜視図である。
【図１２】図１２は、同パネルの分解斜視図である。
【図１３】図１３は、図１１中のＺ箇所の拡大図である。
【図１４】図１４は、本発明の実施例で使用した、本発明の第６実施形態に係る生体情報計測用パネルの概略斜視図である。
【図１５Ａ】図１５Ａは、同パネルの平面図である。
【図１５Ｂ】図１５Ｂは、同パネルの正面図である。
【図１５Ｃ】図１５Ｃは、同パネルの底面図である。
【図１６】同パネルの敷き板に与えた変動圧力を示す図（グラフ）である。
【図１７】同パネルの圧電フィルムセンサの出力を示す図（グラフ）である。
【発明を実施するための形態】
【００４６】
次に、本発明の幾つかの実施形態について図面を参照して以下に説明する。
【００４７】
図１〜４は、本発明の第１実施形態を説明する図である。
【００４８】
図１に示すように、本第１実施形態に係る生体情報計測装置２０は、被験者Ｈの生体情報を計測するものであり、本発明の第１実施形態に係る生体情報計測用パネル１Ａ、制御器１１、演算器１２などを具備している。被験者Ｈの生体情報としては、心拍情報（拍動情報）、呼吸情報、いびき情報、体動情報（寝返り情報を含む）などが挙示される。心拍情報の解析により被験者Ｈの睡眠深度を知ることができる。また、呼吸情報の解析により被験者Ｈの睡眠時無呼吸症候群（ＳＡＳ）を検知することができる。
【００４９】
本第１実施形態のパネル１Ａは、敷き板２、圧電フィルムセンサ９などを備えている。
【００５０】
敷き板２は、図１に示すように、ベッドの寝床部３０上に就寝する仰臥姿勢の被験者Ｈの被験部位Ｈａ（例：胸部、腹部、頭部）の下側に被験者Ｈの被験部位Ｈａの幅方向（即ち左右方向）に延びる態様にして配置される帯状のものである。本第１実施形態では、被験部位Ｈａは胸部である。被験者Ｈ及びその被験部位Ｈａの幅方向は寝床部３０の幅方向と一致している。なお、被験者Ｈとは、生体情報の計測対象者の意味であり、病人、老人、成人、乳幼児などが具体的に挙示される。寝床部３０は、例えば、ベッドのマットレスで形成されている。
【００５１】
ここで本明細書では、パネル１Ａ、敷き板２及び圧電フィルムセンサ９の幅方向とは、仰臥姿勢の被験者Ｈの幅方向（即ち左右方向）に沿う方向である。また、パネル１Ａ、敷き板２及び圧電フィルムセンサ９の長さ方向とは、仰臥姿勢の被験者Ｈの身長方向に沿う方向である。さらに本明細書では、図１に示すように「右」及び「左」とは、それぞれ、仰臥姿勢の被験者Ｈにおける右及び左である。
【００５２】
圧電フィルムセンサ９は、被験者Ｈの生体活動に伴い発生する敷き板２の歪み（その変動を含む）を検出するものであり、例えば、圧電効果を有するプラスチックＰＶＤＦ（PolyVinylidene DiFluoride、ポリフッ化ビニリデン）で形成されている。この圧電フィルムセンサ９は柔軟性を有するものであり、ピエゾフィルムセンサとも呼ばれている。図２及び３に示すように、圧電フィルムセンサ９の形状は帯状である。そして、この圧電フィルムセンサ９は、その全体が敷き板２の幅方向の右端部２ａ及び左端部２ｃのうち一方の端部の内部に敷き板２の幅方向に延びる態様にして設けられている。本第１実施形態では、圧電フィルムセンサ９は敷き板２の幅方向の右端部２ａの内部に設けられている。圧電フィルムセンサ９の基端部としての右端部には端子部（電極部）９ａが形成されるとともに、この端子部９ａに出力信号線１０が電気的に接続される。そして、図２に示すように、出力信号線１０が敷き板２の幅方向の右端部２ａの端面から右外側へ導出されている。この圧電フィルムセンサ９により敷き板２の歪みが検出されると、当該歪みに対応する電圧が出力信号として圧電フィルムセンサ９から出力信号線１０を通じて出力される。この出力信号（即ち出力電圧）は被験者Ｈの生体情報の計測に用いられる。
【００５３】
敷き板２はシリコーンゴム製であり、この敷き板２が寝床部３０としてのマットレス上に配置されている。敷き板２がシリコーンゴム製であることにより、敷き板２は、被験者Ｈの被験部位（本実施形態では胸部）Ｈａの重量を受けて、被験者Ｈの被験部位Ｈａの下面形状に対応するように下方向へ弾性的に変形され更に圧縮されるものとなされており、更に、被験者Ｈの生体活動に伴って敷き板２に歪み（その変動を含む）が発生するものとなされており、更に、図４に示すように敷き板２の幅方向の左端部２ｃから丸く巻き畳み得るものとなされている。なお、被験者Ｈの生体活動としては、拍動、呼吸、いびき、体動（寝返りを含む）などが挙示される。
【００５４】
敷き板２は、図３に示すように、上板部３と下板部４とに分割されている。そして、図２に示すように、上板部３と下板部４が、上板部３の幅方向の右端部と下板部４の幅方向の右端部との間に圧電フィルムセンサ９の全体を挟んだ状態にして接着剤等によって互いに重ね合わせ状に接合されている。これにより、圧電フィルムセンサ９の上下両面が敷き板２（詳述すると敷き板２の上板部３及び下板部４）に密着した状態にして、圧電フィルムセンサ９の全体が敷き板２の幅方向の右端部２ａの内部に配置されている。
【００５５】
このパネル１Ａにおいて、敷き板２が被験者Ｈの被験部位Ｈａの下面形状に対応するように確実に弾性的に変形され更に圧縮されるようにするため、被験者Ｈの生体活動に伴って敷き板２に歪みが確実に発生するようにするため、敷き板２の歪みが圧電フィルムセンサ９に確実に伝わるようにするため、及び、敷き板２を確実に丸く巻き畳み得るようにするため、シリコーンゴム（即ち敷き板）は、ＪＩＳ（日本工業規格）  Ｋ  ６２４９：２００３に準じてデュロメータタイプＡを用いて測定した硬さが１０〜７０の範囲内であることが望ましい。さらに、これらの目的を確実に達成するため、シリコーンゴムはヤング率が４ＭＰａ〜４２ＭＰａの範囲内であることが望ましく、更に、敷き板２の幅Ｗ（図２参照）は２００ｍｍ〜１２００ｍｍの範囲内に設定されることが望ましく、更に、敷き板２の長さＬ（図２参照）は２０ｍｍ〜３００ｍｍの範囲内に設定されることが望ましく、更に、敷き板２の上板部３及び下板部４の厚さはそれぞれ１ｍｍ〜５ｍｍの範囲内に設定される（即ち、敷き板２の厚さＴ（図２参照）は２ｍｍ〜１０ｍｍの範囲内に設定される）ことが望ましい。
【００５６】
さらに、圧電フィルムセンサ９が敷き板２の歪みを確実に検出し得るようにするため、圧電フィルムセンサ９の幅は敷き板２の幅Ｗに対して１５％以上に設定されることが望ましく、更に、圧電フィルムセンサ９の長さは１０ｍｍ以上に設定されることが望ましい。圧電フィルムセンサ９の幅の上限は敷き板２の幅Ｗよりも小さくなければならず、特に敷き板２の幅Ｗに対して５０％以下に設定されることが望ましい。圧電フィルムセンサ９の長さの上限は限定されるものではないが、特に敷き板２の長さＬに対して５０％以下に設定されることが望ましい。
【００５７】
本第１実施形態では、圧電フィルムセンサ９は、敷き板２の幅方向の右端部２ａの内部に接着剤によって接着された状態で配置されている。ここで本発明では、圧電フィルムセンサ９は、本第１実施形態のように接着剤によって接着された状態、即ち固定された状態で配置されていても良いし、接着テープ（例：両面接着テープ）によって接着された状態、即ち固定された状態で配置されていても良いし、敷き板２の上板部３と下板部４との間に圧電フィルムセンサ９が挟着されることで固定された状態にして配置されていても良い。
【００５８】
制御器１１は、圧電フィルムセンサ９の出力を制御するものであり、圧電フィルムセンサ９の出力信号線１０に接続されている。この制御器１１は、増幅部、Ａ／Ｄ変換部などを有しており、基板上に搭載されている。増幅部は、圧電フィルムセンサ９の出力（電圧）を増幅するものである。Ａ／Ｄ変換部は、増幅部で増幅された出力をアナログ信号からデジタル信号に変換するものである。本第１実施形態では、制御器１１はパネル１Ａの外側に配置されている。
【００５９】
演算器１２は、圧電フィルムセンサ９の出力に基づいて被験者Ｈの生体情報を演算するものであり、ＲＯＭ、ＲＡＭ、ＣＰＵ等を有するコンピュータを備えている。演算器１２の構成について詳述すると、演算器１２は、演算部、記憶部、通信部などを有している。演算部は、制御器１１で制御された信号（即ち、制御器１１のＡ／Ｄ変換部で変換されたデジタル信号）に基づいて被験者Ｈの生体情報を時間的に連続して演算するものである。記憶部は、演算部で演算された被験者Ｈの生体情報を記憶するものであり、メモリーカード（例：ＳＤカード）などを有している。通信部は、演算部で演算された被験者Ｈの生体情報を遠隔地や携帯電話器などへ無線又は有線で送信するためのものである。演算器１２は、被験者Ｈが就寝する寝床部３０の近傍などに設置される。
【００６０】
次に、本第１実施形態のパネル１Ａ及び生体情報計測装置２０の動作について以下に説明する。
【００６１】
図１に示すように、敷き板２は、ベッドの寝床部３０上における仰臥姿勢の被験者Ｈの被験部位（即ち胸部）Ｈａの下側に被験者Ｈの被験部位Ｈａの幅方向に延びる態様にして配置されている。この状態において、敷き板２の幅方向の中間部２ｂが被験者Ｈの被験部位Ｈａの真下側に位置している。換言すると、被験者Ｈは、その被験部位Ｈａが敷き板２の幅方向の中間部２ｂ上に載るようにして就寝する。
【００６２】
このように被験者Ｈの被験部位Ｈａの下側に敷き板２が配置されると、被験者Ｈの生体活動に伴って敷き板２に歪みが発生する。この歪みが圧電フィルムセンサ９により検出される。
【００６３】
ここで、敷き板２の歪みが圧電フィルムセンサ９により検出される原理は、詳しくは判明していないが、次のように推測される。すなわち、敷き板２は、被験者Ｈの被験部位Ｈａの重量を受けて、被験者Ｈの被験部位Ｈａの下面形状に対応するように下方向へ弾性的に変形され更に圧縮される。これにより、敷き板２に歪み（詳述すると曲げ歪み、圧縮歪みなど）が発生する。さらに、被験者Ｈの生体活動（例：拍動、呼吸、いびき、体動）に伴って敷き板２の歪みが変動する。このような歪み（その変動を含む）が敷き板２の幅方向の右端部２ａに設けた圧電フィルムセンサ９へ伝わって圧電フィルムセンサ９により検出されるものと考えられる。
【００６４】
そして、この検出された歪みに対応する電圧が出力信号として圧電フィルムセンサ９から出力信号線１０を通じて制御器１１へ出力される。この出力信号が制御器１１により制御され、この制御された信号に基づいて被験者Ｈの生体情報が演算器１２により演算される。
【００６５】
本第１実施形態のパネル１Ａは次の利点を有している。
【００６６】
敷き板２は、シリコーンゴム製であるので柔軟性を有している。したがって、敷き板２が被験者Ｈの被験部位Ｈａの下側に配置されても、被験者Ｈに対しゴツゴツ感等の違和感を与えない。そのため、被験者Ｈの寝心地が悪化するのを防止することができ、すなわち被験者Ｈの寝心地を良くすることができる。さらに、圧電フィルムセンサ９も柔軟性を有しているので、圧電フィルムセンサ９の存在による被験者Ｈの寝心地が悪化する不具合についても殆ど発生しない。さらに、パネル１Ａを収納したり持ち運んだり搬送したりする際などには、図４に示すように敷き板２をその幅方向の左端部２ｃから丸く巻き畳むことができる。これにより、パネル１Ａを従来（例：特開２０１２−２０５８０３号公報）のものよりもコンパクトな状態にして収納したり持ち運んだり搬送したりすることができる。
【００６７】
さらに、圧電フィルムセンサ９は、敷き板２の幅方向の全域ではなく幅方向の一部（本第１実施形態では敷き板２の幅方向の右端部２ａ）に設けられているので、敷き板２の幅方向の全域に圧電フィルムセンサ９が設けられる場合よりも、圧電フィルムセンサ９の幅を短くすることができる。これにより、圧電フィルムセンサ９を安価に入手することができ、その結果、パネル１Ａの製造コストを引き下げることができる。しかも、このように圧電フィルムセンサ９が敷き板２の幅方向の右端部２ａに設けられた場合であっても、敷き板２がシリコーンゴム製であることにより、被験者Ｈの生体活動に伴い発生する敷き板２の歪みが圧電フィルムセンサ９に伝わりようになり、そのため、敷き板２の歪みを圧電フィルムセンサ９によって検出することができる。
【００６８】
さらに、圧電フィルムセンサ９の上下両面が敷き板２に密着した状態であるから、敷き板２の歪みを圧電フィルムセンサ９によって確実に検出することができる。これにより、圧電フィルムセンサ９による敷き板２の歪みの検出精度を向上させることができる。
【００６９】
さらに、圧電フィルムセンサ９が敷き板２の幅方向の右端部２ａに設けられているので、圧電フィルムセンサ９の出力信号線１０を容易に敷き板２の幅方向の右端部２ａの端面から外側へ導出することができる。これにより、出力信号線１０をできる限り短くすることができるし、パネル１Ａを容易に製造することができる。
【００７０】
さらに、このパネル１Ａでは、被験者Ｈは一般的に、敷き板２の幅方向の中間部２ｂ上に載り、敷き板２の幅方向の右端部２ａ及び左端部２ｃ上には載らない。そのため、圧電フィルムセンサ９の存在による被験者Ｈの寝心地が悪化する不具合を確実に防止することができる。
【００７１】
さらに、圧電フィルムセンサ９の全体が敷き板２の内部に設けられているので、圧電フィルムセンサ９の全体を敷き板２で保護することができる。これにより、被験者Ｈの汗や尿等による圧電フィルムセンサ９の損傷を防止し得て、パネル１Ａの耐用寿命を長くすることができる。
【００７２】
さらに、敷き板２の上板部３と下板部４が、上板部３と下板部４との間に圧電フィルムセンサ９を挟んだ状態にして互いに接合されているので、圧電フィルムセンサ９を敷き板２の内部に容易に配置させることができる。
【００７３】
なお、本第１実施形態では、敷き板２は寝床部３０としてのマットレス上に配置されるが、本発明では、その他に例えば、敷き板２は、マットレスよりも硬い寝床部３０である床板面や畳面上に配置されても良い。この場合、被験者Ｈの被験部位Ｈａの下側に敷き板２が配置されると、当該敷き板２は、被験者Ｈの被験部位Ｈａの重量を受けて、下方向へ弾性的に圧縮される。これにより、敷き板２に歪み（詳述すると圧縮歪み）が発生する。さらに、被験者Ｈの生体活動に伴って敷き板２の歪みが変動する。このような歪み（その変動を含む）が圧電フィルムセンサ９へ伝わって圧電フィルムセンサ９により検出される。
【００７４】
図５及び６は、本発明の第２実施形態に係る生体情報計測用パネル１Ｂを説明する図である。これらの図には、上記第１実施形態のパネル１Ａと同じ要素に同一の符号が付されている。以下、本第２実施形態のパネル１Ｂを上記第１実施形態のパネル１Ａとの相異点を中心に説明する。
【００７５】
本第２実施形態のパネル１Ｂでは、敷き板２の下板部４の幅は、敷き板２の上板部３の幅よりも短く設定されている。そして、上板部３の幅方向の左端部の端面の位置と下板部４の幅方向の左端部の端面の位置とを一致させた状態で、上板部３と下板部４が接着剤等によって互いに重ね合わせ状に接合されている。そのため、敷き板２の幅方向の右端部２ａの下部（即ち敷き板２の上板部３の幅方向の右端部の下側）には下板部４は存在していない。そして、敷き板２のこの部分に第１固定板６が配置されて接着剤等によって敷き板２の幅方向の右端部２ａに固着されている。このように第１固定板６が固着された状態において、敷き板２の下面と第１固定板６の下面とは敷き板２の幅方向に面一（つらいち）に連なっており、更に、敷き板２の幅方向の右端部２ａの上部の端面（詳述すると敷き板２の上板部３の幅方向の右端部の端面）と第１固定板６の幅方向の右端部の端面とは、敷き板２の厚さ方向に面一に連なっている。
【００７６】
第１固定板６は、圧電フィルムセンサ９が固定されるものであり、敷き板２を形成しているシリコーンゴムとは異なる材料製のものである。具体的には、第１固定板６はプラスチック製であり、詳述するとＡＢＳ樹脂（Acrylonitrile Butadiene Styrene copolymer）製である。第１固定板６は、敷き板２よりも高い曲げ剛性を有している。
【００７７】
図６に示すように、敷き板２の上板部３と下板部４が互いに接合される前の状態では、第１固定板６は下板部４の幅方向の右端部の端面に接着剤等によって接合されている。そして、上板部３と下板部４が互いに接合される際に、第１固定板６が上板部３の幅方向の右端部の下面に接着剤等によって接合されている。
【００７８】
圧電フィルムセンサ９は、その下面の略全体が接着剤や接着テープ（例：両面接着テープ）などによって第１固定板６の上面に接着されて、第１固定板６に固定されている。そして、第１固定板６が敷き板２の幅方向の右端部２ａに固着されることにより、圧電フィルムセンサ９はその全体が敷き板２の幅方向の右端部２ａの上部（即ち敷き板２の上板部３の右端部）と第１固定板６との間に挟まれた状態になっており、さらに、圧電フィルムセンサ９の上面の略全体が敷き板２の幅方向の右端部２ａの上部に密着した状態になっている。
【００７９】
このパネル１Ｂのその他の構成は上記第１実施形態のパネル１Ａと同じである。
【００８０】
本第２実施形態のパネルによれば、圧電フィルムセンサ９が第１固定板６に固定されているので、圧電フィルムセンサ９を敷き板２に対して確実に固定状態に取り付けることができる。
【００８１】
さらに、圧電フィルムセンサ９の全体が敷き板２の幅方向の右端部２ａの上部と第１固定板６との間に挟まれた状態であるから、圧電フィルムセンサ９の全体を敷き板２の幅方向の右端部２ａの上部と第１固定板６とで保護することができる。これにより、被験者Ｈの汗や尿等による圧電フィルムセンサ９の損傷を防止し得て、パネル１Ｂの耐用寿命を長くすることができる。
【００８２】
しかも、敷き板２における第１固定板６の固着位置が敷き板２の幅方向の右端部２ａであるから、敷き板２が第１固定板６を有するものであっても、敷き板２をその幅方向の左端部２ｃから丸く巻き畳むことができてコンパクトな状態にすることができる。
【００８３】
なお本第１実施形態では、第１固定板６は、上述したように敷き板２の幅方向の右端部２ａの下部に配置されている。さらに、本発明では、その他に例えば、第１固定板６は、敷き板２の幅方向の右端部２ａの上部に配置されていても良い。しかしながら、第１固定板６は本第２実施形態のように敷き板２の幅方向の右端部２ａの下部に配置されるのが特に望ましい。その理由は次のとおりである。すなわち、被験者Ｈが何度も寝返り動作などをすることでもし敷き板２における被験者Ｈが載っている位置が敷き板２の幅方向の中間部２ｂ上から右端部２ａ上へ移動した場合であっても、敷き板２の幅方向の右端部２ａの上部には第１固定板６ではなく敷き板２が存在しているので、被験者Ｈと第１固定板６との直接的な接触による被験者Ｈの寝心地が悪化する不具合を防止することができる。
【００８４】
図７及び８は、本発明の第３実施形態に係る生体情報計測用パネル１Ｃを説明する図である。これらの図には、上記第１及び第２実施形態のパネル１Ａ、１Ｂと同じ要素に同一の符号が付されている。以下、本第３実施形態のパネル１Ｃを上記第１及び第２実施形態のパネル１Ａ、１Ｂとの相異点を中心に説明する。なお、これらの図では、出力信号線及び演算器は図示省略されている。
【００８５】
本第３実施形態のパネル１Ｃは、図５及び６に示した上記第２実施形態のパネル１Ｂの敷き板２の幅方向の右端部２ａの上面に第２固定板７が接着剤や接着テープなどによって固着されているものである。このように第２固定板７が固着された状態において、敷き板２の上面と第２固定板７の上面との間に第２固定板７の厚さに対応する段差が生じている。
【００８６】
第２固定板７は、制御器１１が固定されるものであり、敷き板２を形成しているシリコーンゴムとは異なる材料製のものである。具体的には、第２固定板はプラスチック製であり、詳述するとＡＢＳ樹脂製である。第２固定板７は、敷き板２よりも高い曲げ剛性を有している。
【００８７】
制御器１１は、接着剤や接着テープ（例：両面接着テープ）やネジなどによって第２固定板７の下面に固定されている。そして、第２固定板７が敷き板２の幅方向の右端部２ａの上面に固着されることにより、制御器１１はその全体が敷き板２の幅方向の右端部２ａの上面と第２固定板７との間に挟まれた状態になっている。
【００８８】
このパネル１Ｃのその他の構成は上記第２実施形態のパネル１Ｂと同じである。
【００８９】
本第３実施形態のパネル１Ｃによれば、制御器１１が第２固定板７に固定されているので、制御器１１を敷き板２に対して確実に固定状態に取り付けることができる。
【００９０】
さらに、制御器１１が敷き板２の幅方向の右端部２ａの上面と第２固定板７との間に挟まれた状態であるから、制御器１１を敷き板２の幅方向の右端部２ａと第２固定板７とで保護することができる。これにより、被験者Ｈの汗や尿等による制御器１１の損傷を防止し得て、パネル１Ｃの耐用寿命を長くすることができる。
【００９１】
しかも、敷き板２における第１固定板６及び第２固定板７の固着位置が敷き板２の幅方向の右端部２ａであるから、敷き板２が第１固定板６及び第２固定板７を有するものであっても、敷き板２をその幅方向の左端部２ｃから丸く巻き畳むことができてコンパクトな状態にすることができる。
【００９２】
なお本第２実施形態では、第２固定板７は、上述したように敷き板２の幅方向の右端部２ａの上面に固着されている。さらに、本発明では、その他に例えば、第２固定板７は、敷き板２の幅方向の右端部２ａの下面と第２固定板７との間に制御器１１を挟んだ状態にして敷き板２の幅方向の右端部２ａの下面に固着されていても良い。
【００９３】
図９及び１０は、本発明の第４実施形態に係る生体情報計測用パネル１Ｄを説明する図である。これらの図には、上記第１〜第３実施形態のパネル１Ａ〜１Ｃと同じ要素に同一の符号が付されている。以下、本第４実施形態のパネル１Ｄを上記第１〜第３実施形態のパネル１Ａ〜１Ｃとの相異点を中心に説明する。なお、これらの図では、出力信号線及び演算器は図示省略されている。
【００９４】
本第４実施形態のパネル１Ｄでは、敷き板２の上板部３は、敷き板２の幅方向に複数個の分割片３ａに分割されている。上板部３の分割数は一般的に２〜１２個であり、本第４実施形態では上板部３の分割数は４個である。また、図９において、３ｂは上板部３の分割位置である。そして、敷き板２の幅方向に互いに隣接する分割片３ａ、３ａ同士が分割位置３ｂにて接着剤等によって接合されている。これと同様に、敷き板２の下板部４は、敷き板２の幅方向に複数個の分割片４ａに分割されている。下板部４の分割数は一般的に２〜１２個であり、本第４実施形態では下板部４の分割数は４個である。また、図９において、４ｂは下板部４の分割位置である。そして、敷き板２の幅方向に互いに隣接する分割片４ａ、４ａ同士が分割位置４ｂにて接着剤等によって接合されている。
【００９５】
さらに、下板部４の幅は、上板部３の幅よりも短く設定されている。そして、上板部３の幅方向の左端部の端面の位置と下板部４の幅方向の左端部の端面の位置とを一致させた状態で、上板部３と下板部４が接着剤等によって互いに重ね合わせ状に接合されている。そのため、敷き板２の幅方向の右端部２ａの下部には下板部４は存在していない。そして、敷き板２のこの部分に第１固定板６が配置されて接着剤等によって敷き板２の幅方向の右端部２ａに固着されている。このように第１固定板６が固着された状態では、敷き板２の下面と第１固定板６の下面とは敷き板２の幅方向に面一（つらいち）に連なっている。一方、第１固定板６の幅方向の右半部は、敷き板２の幅方向の右端部２ａの上部の端面（詳述すると敷き板２の上板部３の幅方向の右端部の端面）よりも右側方に突出している。第１固定板６のこの右半部の上面にカバー板８が接着剤や接着テープやネジなどによって接合されている。このようにカバー板８が接合された状態では、敷き板２の上面とカバー板８の上面とは敷き板２の幅方向に面一に連なっており、更に、第１固定板６の幅方向の右端部の端面とカバー板８の幅方向の右端部の端面とは敷き板２の厚さ方向に面一に連なっている。
【００９６】
さらに、図９に示すように上板部３と下板部４とが接合された状態では、上板部３の各分割位置３ｂと下板部４の各分割位置４ｂとは、敷き板２の幅方向にずれている。詳述すると、本第４実施形態では、上板部３の各分割位置３ｂと下板部４の各分割位置４ｂとは、敷き板２の幅方向に千鳥状に配置されている。
【００９７】
第１固定板６は、圧電フィルムセンサ９と更に制御器１１とが固定されるものである。
【００９８】
カバー板８は、制御器１１の上面又は下面を覆う役割を有するものであり、本第４実施形態では、カバー板８は制御器１１の上面を覆う役割を有するものである。さらに、カバー板８は、敷き板２を形成しているシリコーンゴムとは異なる材料製のものである。具体的には、カバー板８はプラスチック製であり、詳述するとＡＢＳ樹脂製である。カバー板８は、敷き板２よりも高い曲げ剛性を有している。
【００９９】
圧電フィルムセンサ９は、上記第２実施形態と同様に圧電フィルムセンサ９の下面の略全体が接着剤や接着テープ（例：両面接着テープ）などによって第１固定板６の上面に接着されて、第１固定板６に固定されている。
【０１００】
制御器１１は、接着剤や接着テープ（例：両面接着テープ）やネジなどによって第１固定板６の幅方向の右半部の上面に固定されている。そして、第１固定板６が敷き板２の幅方向の右端部２ａに固着されることにより、圧電フィルムセンサ９の幅方向の左半部が敷き板２の幅方向の右端部２ａの上部（即ち敷き板２の上板部３の右端部）と第１固定板６との間に挟まれた状態になっており、さらに、圧電フィルムセンサ９の幅方向の左半部の上面が敷き板２の幅方向の右端部２ａの上部に密着した状態になっている。
【０１０１】
さらに、カバー板８が第１固定板６の幅方向の右半部の上面に接着剤や接着テープやネジなどによって接合されることにより、制御器１１の上面と圧電フィルムセンサ９の幅方向の右半部の上面とがカバー板８によって覆われており、これにより、制御器１１と圧電フィルムセンサ９の幅方向の右半部とが第１固定板６とカバー板８とで保護されている。
【０１０２】
このパネル１Ｄのその他の構成は上記第１及び第２実施形態のパネル１Ａ、１Ｂと同じである。
【０１０３】
本第４実施形態のパネル１Ｄによれば、圧電フィルムセンサ９と制御器１１とが第１固定板６に固定されているので、圧電フィルムセンサ９と制御器１１とを敷き板２に対して確実に固定状態に取り付けることができる。
【０１０４】
さらに、圧電フィルムセンサ９の幅方向の左半部が敷き板２の幅方向の右端部２ａの上部と第１固定板６との間に挟まれた状態であるから、圧電フィルムセンサ９の幅方向の左半部が敷き板２の幅方向の右端部２ａの上部と第１固定板６とで保護されている。さらに、圧電フィルムセンサ９の幅方向の右半部が第１固定板６とカバー板８とで保護されている。したがって、圧電フィルムセンサ９の全体が保護されている。これにより、被験者Ｈの汗や尿等による圧電フィルムセンサ９の損傷を防止し得て、パネル１Ｄの耐用寿命を長くすることができる。
【０１０５】
さらに、制御器１１が第１固定板６とカバー板８とで保護されているので、被験者Ｈの汗や尿等による制御器１１の損傷を防止し得て、パネル１Ｄの耐用寿命を更に長くすることができる。
【０１０６】
しかも、敷き板２における第１固定板６及びカバー板８の固着位置が敷き板２の幅方向の右端部２ａであるから、敷き板２が第１固定板６及びカバー板８を有するものであっても、敷き板２をその幅方向の左端部２ｃから丸く巻き畳むことができてコンパクトな状態にすることができる。
【０１０７】
さらに、敷き板２の上板部３及び下板部４が、それぞれ、敷き板２の幅方向に複数個の分割片３ａ、４ａに分割されているので、上板部３及び下板部４がそれぞれ分割されていない場合に比べて、敷き板２を安価に製造することができ、その結果、パネル１Ｄの製造コストを引き下げることができる。
【０１０８】
さらに、上板部３の分割位置３ｂと下板部４の分割位置４ｂとが敷き板２の幅方向にずれているので、上板部３の分割位置３ｂと下板部４の分割位置４ｂとが敷き板２の幅方向に一致している場合に比べて、敷き板２の強度を向上させることができる。
【０１０９】
さらに、上板部３の分割位置３ｂは、分割片３ａ、３ａ同士を接合した接着剤等の影響によって上板部３の分割されていない部分とは若干異なる弾性特性を有している。これと同様に、敷き板２の２下板部４の分割位置４ｂは、分割片４ａ、４ａ同士を接合した接着剤等の影響によって下板部４の分割されていない部分とは若干異なる弾性特性を有している。そのため、もし上板部３の分割位置３ｂ（即ち上板部３の分割片３ａ、３ａ同士の接合部分）と下板部４の分割位置４ｂ（即ち下板部４の分割片４ａ、４ａ同士の接合部分）とが幅方向に一致している場合には、分割位置３ｂ、４ｂの弾性特性が敷き板２の弾性変形形態や弾性圧縮形態に与える影響が大きくなり、その結果、被験者Ｈの寝心地が悪くなる虞がある。これに対して、このパネル１Ｄのように、上板部３の分割位置３ｂと下板部４の分割位置４ｂとが幅方向にずれている場合には、そのような問題の発生を防止でき、これにより、被験者Ｈの寝心地を良好な状態に維持することができる。
【０１１０】
なお本第４実施形態では、敷き板２の上板部３及び下板部４がそれぞれ敷き板２の幅方向に分割されているが、本発明では、その他に例えば、上板部３及び下板部４のうちいずれか一方だけが分割されていても良い。
【０１１１】
図１１〜１３は、本発明の第５実施形態に係る生体情報計測用パネル１Ｅを説明する図である。これらの図には、上記第１〜４実施形態のパネル１Ａ〜１Ｄと同じ要素に同一の符号が付されている。以下、本第５実施形態のパネル１Ｅを上記第１〜第４実施形態のパネル１Ａ〜１Ｄとの相異点を中心に説明する。なお、これらの図では、出力信号線及び演算器は図示省略されている。
【０１１２】
本第５実施形態のパネル１Ｅは、図９及び１０に示した上記第４実施形態のパネル１Ｄの敷き板２の上板部３及び下板部４がそれぞれ分割されていない構成のものである。さらに、敷き板２の上面には、敷き板２の長さ方向に直線状に延びた１個又は複数個の半切り目部２ｅが敷き板２の幅方向に間隔（詳述すると等間隔）をおいて形成されている。また、敷き板２の下面には、敷き板２の長さ方向に直線状に延びた１個又は複数個の半切り目部２ｆが敷き板２の幅方向に間隔（詳述すると等間隔）をおいて形成されている。本第５実施形態では、敷き板２の上面及び下面に形成された半切り目部２ｅ、２ｆの個数はそれぞれ３個である。
【０１１３】
図１３に示すように、敷き板２の上面に形成された半切り目部２ｅの切込み深さは、敷き板２の厚さに対して５〜７５％の範囲内に設定されることが望ましく、本第５実施形態では敷き板２の厚さに対して約２５％に設定されている。敷き板２の下面に形成された半切り目部２ｆの切込み深さは、敷き板２の厚さに対して５〜７５％の範囲内に設定されることが望ましく、本第５実施形態では敷き板２の厚さに対して約２５％に設定されている。
【０１１４】
さらに、敷き板２の上面における各半切り目部２ｅの形成位置と敷き板２の下面における各半切り目部２ｆの形成位置とは、敷き板２の幅方向にずれている。詳述すると、本第５実施形態では、上面側の各半切り目部２ｅの形成位置と下面側の各半切り目部２ｆの形成位置とは、敷き板２の幅方向に千鳥状に配置されている。
【０１１５】
このパネル１Ｅの他の構成は上記第４実施形態のパネル１Ｄと同じである。
【０１１６】
本第５実施形態のパネル１Ｅによれば、敷き板２の上面及び下面のうち少なくとも一方に、敷き板２の長さ方向に延びた半切り目部２ｅ、２ｆが形成されている。そのため、敷き板２の上下両面のうち半切り目部が形成された面が外面側になるように敷き板２をその幅方向の左端部２ｃから丸く巻き畳むと、その際に敷き板２の半切り目部が若干開くので、敷き板２を容易に丸く巻き畳むことができるという効果を奏する。
【０１１７】
しかも、本第５実施形態では、敷き板２の上面及び下面にそれぞれ半切り目部２ｅ、２ｆが形成されているので、敷き板２の上面が外面側になるように敷き板２を丸く巻き畳んでも上述した効果を奏するし、敷き板２の下面が外面側になるように敷き板２を丸く巻き畳んでも上述した効果を奏する。したがって、敷き板２を丸く巻き畳む際に敷き板２の半切り目部が形成された面を考慮する必要がなく、その結果、敷き板２の巻き畳み作業を更に容易に行うことができる。
【０１１８】
なお本第５実施形態では、敷き板２の上面及び下面にそれぞれ半切り目部２ｅ、２ｆが形成されているが、本発明では、その他に例えば、敷き板２の上面及び下面のうちいずれか一方にのみ半切り目部が形成されていても良い。
【０１１９】
図１４〜１５Ｃは、本発明の第６実施形態に係る生体情報計測用パネル１Ｆを説明する図である。本第６実施形態のパネル１Ｆは、後述する実施例において被験者Ｈの生体情報の計測に使用されたものである。これらの図には、上記第１〜５実施形態のパネル１Ａ〜１Ｅと同じ要素に同一の符号が付されている。さらに、図１４には、変動圧力発生装置４０に備えられた押圧部４１がパネル１Ｆと一緒に図示されている。以下、本第６実施形態のパネル１Ｆを上記第１〜第５実施形態のパネル１Ａ〜１Ｅとの相異点を中心に説明する。なお、これらの図では演算器は図示省略されている。
【０１２０】
本第６実施形態のパネル１Ｆでは、敷き板２の上板部３は、敷き板２の幅方向に２個の分割片３ａ、３ａに分割されている。そして、敷き板２の幅方向に互いに隣接する分割片３ａ、３ａ同士が分割位置３ｂにて接着剤等によって接合されている。これと同様に、敷き板２の下板部４は、敷き板２の幅方向に２個の分割片４ａ、４ａに分割されている。そして、敷き板２の幅方向に互いに隣接する分割片４ａ、４ａ同士が分割位置４ｂにて接着剤等によって接合されている。
【０１２１】
さらに、下板部４の幅は、上板部３の幅よりも短く設定されている。そして、上板部３の幅方向の左端部の端面の位置と下板部４の幅方向の左端部の端面の位置とを一致させた状態で、上板部３と下板部４が接着剤等によって互いに重ね合わせ状に接合されている。そのため、敷き板２の幅方向の右端部２ａの下部には下板部４は存在していない。そして、敷き板２のこの部分に第１固定板６が配置されて接着剤等によって敷き板２の幅方向の右端部２ａに固着されている。このように第１固定板６が固着された状態では、敷き板２の下面と第１固定板６の下面とは敷き板２の幅方向に面一（つらいち）に連なっている。一方、第１固定板６の幅方向の右半部は、敷き板２の幅方向の右端部２ａの上部の端面（詳述すると敷き板２の上板部３の幅方向の右端部の端面）よりも右側方に突出している。第１固定板６のこの右半部の上面には、本来、制御器１１が固定されてカバー板（図示せず）が接着剤や接着テープやネジなどによって接合されるが、本第６実施形態では、制御器１１はこの部分に固定されておらず、敷き板２の外側に配置されている。さらに、カバー板は用いられていない。
【０１２２】
さらに、上板部３と下板部４とが接合された状態では、上板部３の分割位置３ｂと下板部４の分割位置４ｂとは、敷き板２の幅方向にずれている。
【０１２３】
圧電フィルムセンサ９は、圧電フィルムセンサ９の幅方向の略右半部の下面が接着剤や接着テープ（例：両面接着テープ）などによって第１固定板６の上面に接着されて、第１固定板６に固定されている。そして、第１固定板６が敷き板２の幅方向の右端部２ａに固着されることにより、圧電フィルムセンサ９はその幅方向の略右半部が敷き板２の幅方向の右端部２ａの上部（即ち敷き板２の上板部３の右端部）と第１固定板６との間に挟まれた状態になっており、さらに、圧電フィルムセンサ９の幅方向の略右半部の上面が敷き板２の幅方向の右端部２ａの上部に密着した状態になっている。さらに、上板部３と下板部４は、上板部３の幅方向の右端部と下板部４の幅方向の右端部との間に圧電フィルムセンサ９の幅方向の略左半部を挟んだ状態にして上述したように接着剤等によって互いに接合されている。これにより、圧電フィルムセンサ９の幅方向の略左半部の上下両面が敷き板２（詳述すると敷き板２の上板部３及び下板部４）に密着した状態にして、圧電フィルムセンサ９の幅方向の略左半部が敷き板２の幅方向の右端部２ａの内部に配置されている。
【０１２４】
以上で、本発明の幾つかの実施形態について説明したが、本発明はこれらの実施形態に示したものに限定されるものではなく、本発明の要旨を変更しない範囲内で様々に変更可能である。
【０１２５】
例えば、上記第１〜第６実施形態では、敷き板２における圧電フィルムセンサ９（更には、第１固定板６、第２固定板７及びカバー板８）が設けられる部分は、敷き板２の幅方向の右端部２ａであるが、本発明では、その他に例えば、敷き板２の幅方向の左端部２ｃであっても良い。
【０１２６】
上記第１〜第６実施形態では、敷き板２は上板部３と下板部４に分割されているが、本発明では、その他に例えば、敷き板２は必ずしもこのように分割されていなくても良い。
【０１２７】
さらに、本発明に係るパネルは、上記第１〜第６実施形態のパネル１Ａ〜１Ｆに適用された技術的事項のうち２つ以上を組み合わせて構成しても良い。
【０１２８】
また、上記第１〜第６実施形態では、敷き板２は寝床部３０としてのマットレス上に配置されるが、本発明では、その他に例えば、敷き板２は寝床部３０としての敷き布団、床板面又は畳面上に配置されても良い。本発明に係るパネルでは、敷き板２がシリコーンゴム製であり且つ敷き板２の幅方向の一部に圧電フィルムセンサ９が設けられていることにより、寝床部３０がマットレスや敷き布団のように軟らかくても床板面や畳面のように硬くても、敷き板２の歪みを圧電フィルムセンサ９によって検出することができる。
【実施例】
【０１２９】
次に、本発明に係るパネルが被験者の生体情報の計測に使用可能であることを検証するため、図１４〜１５Ｃに示した上記第６実施形態のパネル１Ｆを用いて次のような実験を行った。
【０１３０】
この実験に使用したパネル１Ｆにおける各部位の寸法は、図１４、１５Ａ及び１５Ｂに記載のとおりである。なお各寸法の単位はいずれも「ｍｍ」である。このパネル１Ｆにおいて、圧電フィルムセンサ９は株式会社東京センサ製ピエゾフィルム（型番：ＬＤＴ４−０２８Ｋ／Ｌ）であり、その寸法は幅１７１ｍｍ×長さ２２ｍｍ×厚さ７０μｍである。敷き板２の材料はアズワン（ＡＳＯＮＥ）株式会社製シリコーンゴム（品番：６−６１２−０４）である。
【０１３１】
このパネル１Ｆの敷き板２を寝床部３０としての木製の平坦な床板面上に置いた。次いで、敷き板２の幅方向の左端部２ｃの上面を変動圧力発生装置４０の振動する押圧部４１で加圧し、これにより敷き板２の幅方向の左端部２ｃに変動圧力を与えた。そして、その際の圧電フィルムセンサ９の出力信号を測定した。その結果を図１７に示す。なお、図１４及び１５Ａにおいて、敷き板２の幅方向の左端部２ｃの上面における二点鎖線で囲まれた方形状領域２ｚは、押圧部４１による被加圧領域を示している。
【０１３２】
ここで、敷き板２の幅方向の左端部２ｃに与えた変動圧力は図１６に示すとおりであり、これは人（被験者Ｈ）の呼吸活動に伴う胸部（被験部位Ｈａ）の荷重変動に擬似させたものである。このような変動圧力が与えられることにより、敷き板２の幅方向の左端部２ｃには弾性的な圧縮歪み（詳述すると圧縮歪みの変動）が発生する。
【０１３３】
図１７の縦軸は、圧電フィルムセンサ９の出力信号としての出力電圧をデジタル値に変換したものであり、この変換値は０〜６５５３５の範囲内の値を採る。
【０１３４】
同図に示すように、このパネル１Ｆによれば、敷き板２の幅方向の左端部２ｃに与えた圧力変動を、敷き板２に発生した歪み（詳述すると歪みの変動）として敷き板２の幅方向の右端部２ａに設けられた圧電フィルムセンサ９によって明確に検出することができた。したがって、このパネル１Ｆは、被験者Ｈの生体情報の計測に好適に使用することができる。
【産業上の利用可能性】
【０１３５】
本発明は、被験者の生体情報の計測に用いられるパネル、生体情報計測装置及び生体情報計測方法に利用可能である。
【符号の説明】
【０１３６】
１Ａ〜１Ｆ：生体情報計測用パネル
２：敷き板
２ａ：敷き板の幅方向の右端部
２ｂ：敷き板の幅方向の中間部
２ｃ：敷き板の幅方向の左端部
２ｅ、２ｆ：半切り目部
３：上板部
３ａ：上板部の分割片
３ｂ：上板部の分割位置
４：下板部
４ａ：下板部の分割片
４ｂ：下板部の分割位置
６：第１固定板
７：第２固定板
８：カバー板
９：圧電フィルムセンサ
１１：制御器
１２：演算器
２０：生体情報計測装置
Ｈ：被験者
【図１】
2014124310.tif 000003
【図２】
2014124310.tif 000004
【図３】
2014124310.tif 000005
【図４】
2014124310.tif 000006
【図５】
2014124310.tif 000007
【図６】
2014124310.tif 000008
【図７】
2014124310.tif 000009
【図８】
2014124310.tif 000010
【図９】
2014124310.tif 000011
【図１０】
2014124310.tif 000012
【図１１】
2014124310.tif 000013
【図１２】
2014124310.tif 000014
【図１３】
2014124310.tif 000015
【図１４】
2014124310.tif 000016
【図１５Ａ】
2014124310.tif 000017
【図１５Ｂ】
2014124310.tif 000018
【図１５Ｃ】
2014124310.tif 000019
【図１６】
2014124310.tif 000020
【図１７】
2014124310.tif 000021